(57)【要約】      （修正有）【課題】増築した場合等に、ヘッダーの増設を可能とすることにより、水廻りの設備の増設にも柔軟に対応可能なヘッダーを提供する。【解決手段】内部が流体通路４となる筒状のヘッダー本体２と、該流体通路４から前記ヘッダー本体２の径方向に開口する１以上の分岐口５とをそなえ、前記ヘッダー本体２の端部のいずれか少なくとも一方に、当該端部に挿し込む止水栓９を把持する保持リング７および、該止水栓９と前記ヘッダー本体２との間に介在する止水部材８を内蔵し止水栓９の脱着が可能の、継手部３を有し、該継手部３は、ロックウェル硬さで１１０以上の脱着可能の止水栓８を有することを特徴とするヘッダー１。【選択図】図３
2010223309.tif 000002
【特許請求の範囲】
【請求項１】
内部が流体通路となる筒状のヘッダー本体と、該流体通路から前記ヘッダー本体の径方向に開口する１以上の分岐口とをそなえ、前記ヘッダー本体の端部のいずれか少なくとも一方に、当該端部に挿し込む挿入管を把持する保持リングおよび、該挿入管と前記ヘッダー本体との間に介在する止水部材を内蔵し挿入管の脱着が可能の、継手部を有し、該継手部は、ロックウェル硬さで１１０以上の脱着可能の止水栓を有することを特徴とするヘッダー。
【請求項２】
前記止水栓は、前記保持リングが係合する周溝をそなえることを特徴とする請求項１に記載のヘッダー。
【請求項３】
前記止水栓が金属であることを特徴とする請求項１または２に記載のヘッダー。
【請求項４】
前記ヘッダー本体の端部のいずれか他方に、前記継手部と係合する管状接続部を有する請求項１〜３のいずれかに記載のヘッダー。
【発明の詳細な説明】
【技術分野】
【０００１】
本発明は、例えば、給水管や給湯管を複数の配管に分岐するヘッダーに関するものである。
【背景技術】
【０００２】
従来、住宅における給水や給湯は、給水主管や給湯主管から、継手を介した分岐を順次に行って、住宅内の各種水周り設備に枝管を延ばす、いわゆる先分岐工法にて施工された配管をもって行われていた。この先分岐工法は、分岐を繰り返すことから、管相互の接続箇所が多くなり、その分、水漏れが発生する可能性が高い。また、分岐が多くなるほど、現場での施工が煩雑になっていた。
【０００３】
これに対して、近年、集合住宅を対象として、主給水管や主給湯管からヘッダーを介して多数の枝管を一度に分岐させ、これら枝管を各種水廻り設備の水栓へ個別に接続させる、ヘッダー工法が、普及してきている。このヘッダー工法は、ＰＢやＰＥＸによる樹脂管を用い、上記の先分岐工法に比べて、接続箇所が少ないため施工不良による漏水を抑制することが可能であり、また水廻り設備の一斉使用時にも流量変化は少なく、安定した給水や給湯が可能になる利点がある。ここで、ＰＢとはポリブデン樹脂、ＰＥＸとは架橋ポリエチレンのことを言う。
【０００４】
また、特許文献１には、従来のヘッダー工法において、ヘッダーの種類を抑制して品質管理やコスト面の問題を改善することを所期し、枝管接続口の口数が異なる数種類のヘッダーを用いて、これらヘッダーを水廻り設備の水栓数に応じて選択的に連結することが提案されている。
【０００５】
この手法によれば、枝管の増設や枝管の向きの変更は対応可能であるが、一旦施工が終了してから、例えば増築した場合などに、水廻りの増設に合わせてヘッダーを増設することが難しかった。
【０００６】
また、一方では、ヘッダー相互間を結合可能な継手部を有することにより、施工前の水栓数に対応した連結が可能なヘッダーも提案されており、かようなヘッダーは、継手部に保持リングをそなえることによって、挿入されたＰＢパイプやＰＢ止水栓を把持し、これらの離脱を防止する構造であるものが一般的である。
【０００７】
しかし、従来のヘッダーでは、継手部に挿入したＰＢパイプやＰＢ止水栓が、配管使用時、流体圧によって保持リングによる噛み込みを受けてしまい、脱着用の冶具を使用しても取り外しが不可能となることがあった。また、例え、取り外すことができたとしても、ＰＢパイプやＰＢ止水栓が噛み込みにより変形してしまっていることがあり、この場合は、再度、継手部に装着しても同様の止水効果を得られない場合がある。従い、この手法によっても、施工完了後の水廻りの増設には、柔軟に対応することが難しいと言える。
【先行技術文献】
【特許文献】
【０００８】
【特許文献１】特開２００１−１４６７７１号公報
【発明の概要】
【発明が解決しようとする課題】
【０００９】
そこで、本発明は、特に増築した場合などに、ヘッダーの増設を可能とすることによって、水廻り設備の増設にも柔軟に対応することができる、ヘッダーについて提供することを目的とする。
【課題を解決するための手段】
【００１０】
発明者らは、既存のヘッダーに対して新たにヘッダーを連結可能とするための構造について鋭意究明したところ、ヘッダーの末端部に装着すべき止水栓として、ポリブデンや架橋ポリエチレン製のものを用いるのではなく、より硬い材質から成る止水栓を用いることによって、保持リングの噛み込みを防止することができ、冶具による脱着が可能となることを見出し、本発明を完成するに到った。従い、本願発明の要旨構成は、以下の通りである。
【００１１】
（１）内部が流体通路となる筒状のヘッダー本体と、該流体通路から前記ヘッダー本体の径方向に開口する１以上の分岐口とをそなえ、前記ヘッダー本体の端部のいずれか少なくとも一方に、当該端部に挿し込む止水栓を把持する保持リングおよび、該止水栓と前記ヘッダー本体との間に介在する止水部材を内蔵し止水栓の脱着が可能の、継手部を有し、該継手部は、ロックウェル硬さで１１０以上の脱着可能の止水栓を有することを特徴とするヘッダー。
【００１２】
（２）前記止水栓は、前記保持リングが係合する周溝をそなえることを特徴とする、前記（１）に記載のヘッダー。
【００１３】
（３）前記止水栓が金属であることを特徴とする前記（１）または（２）に記載のヘッダー。ここで、金属としては、容易に錆びない金属が好ましく、砲金、真鍮等の銅合金や、ステンレス鋼等が適合する。
【００１４】
（４）前記ヘッダー本体の端部のいずれか他方に、前記継手部と係合する管状接続部を有する前記（１）〜（３）に記載のヘッダー。
【発明の効果】
【００１５】
本発明によれば、特に増築した場合などに、ヘッダーの増設を可能とすることによって、水廻り設備の増設にも柔軟に対応することができる。また、ヘッダー相互を連結する際に用いる継手部は止水栓にて確実に止水されるために漏水のおそれがなく、さらに止水栓は継手部を利用する際に容易に取り外せるため、ヘッダー相互の連結を簡便に行うことが可能である。
【図面の簡単な説明】
【００１６】
【図１】本発明によるヘッダーの一実施形態を示す半断面図である。
【図２】本発明のヘッダーの継手部に装着した止水栓の拡大断面図である。
【図３】連結する本発明のヘッダー相互間の様子を示す半断面図である。
【図４】本発明によるヘッダーの他の実施例を示す半断面図である。
【図５】本発明によるヘッダーの他の実施例を示す半断面図である。
【図６】本発明のヘッダーを複数個連結した配管例を示す線図である。
【発明を実施するための形態】
【００１７】
以下、図面を参照して、本発明のヘッダーについて詳しく説明する。
図１は、本発明によるヘッダーの一実施形態を示す半断面図である。図１に示すヘッダー１は、内部に流体通路４が形成される筒状のヘッダー本体２に、該流体通路４からヘッダー本体２の径方向に開口する１以上（図示例では１つ）の分岐口５をそなえ、前記ヘッダー本体２の両端部のいずれか一方に、ヘッダー増設時にヘッダー相互の連結部となる継手部３を有する。該継手部３は、止水栓９の他、ここに挿入される連結側ヘッダーの管状接続部（後述）或いは、ヘッダー相互間に介在させる管（以下、挿入管と総称する）を脱着可能に保持する構造を有する。継手部３は、ここに挿し込む止水栓９を把持する保持リング７および、止水栓９とヘッダー本体２との間に介在する止水部材８を内蔵し、止水栓９の脱着を可能とした継手部３をそなえる。なお、図示例では、ヘッダー本体２の他端部に、前記継手部３と係合する管状接続部１１をそなえ、ヘッダー相互の連結が図られる構造となっている。
【００１８】
即ち、継手部３は、ヘッダー増設時に、増設するヘッダー１の前記管状接続部１１を挿入して、ヘッダー相互を連結し、また、ヘッダーとの連結に供しない場合は、止水栓９を装着させることにより水密性を確保する役目を持つ。この構造では、特定の冶具を使用することにより、管状接続部１１または止水栓９を取り外すことが可能である。本発明によるヘッダー１は、このヘッダー相互の連結を繰り返すことにより、増設自在である。
【００１９】
ここで、図示例の継手部３は、カバー１３、キャップ１４および解放リング１５を有する。カバー１３は、ヘッダー本体２を覆うような形状であり、管状接続部１１の挿入時、該管状接続部１１の外周面に被さる。解放リング１５は、継手部３の開口部に面し、前記保持リング７に隣接して位置する。前記管状接続部１１の取り外しの際、特定の冶具を使用してこの解放リング１５を押し込むことにより、保持リング７がヘッダー本体２の径方向に拡がり、管状接続部１１を取り外すことができる。また、キャップ１４は、継手部３において、前記カバー１３、保持リング７および解放リング１５の外側にあり、カバー１３とねじ結合して前記保持リング７および解放リング１５を固定することもできるし、嵌めあいにて保持リング７および解放リング１５を固定することもできる。さらに、継手部３は、ヘッダー本体２に２つの周溝１２を有しており、該周溝１２に１個ずつ配した止水部材３は、管状接続部１１の挿入時、該管状接続部１１の内周面に密着することにより、該管状接続部１１内部の水密性を確保する。
【００２０】
ここで、ヘッダー１の増設に継手部３を供しない場合には、該継手部３に止水栓９を装着し、確実に止水しておくことが肝要である。図２は、本発明のヘッダー１の継手部３に装着した止水栓９の拡大断面図である。ヘッダーとして機能させるためには、当該ヘッダー本体２の末端となる継手部３を止水しておく必要があり、ここに装着する止水栓９が、確実かつ強固に取り付けられ、しかも、ヘッダー１増設時には容易に引抜きが可能であることが重要になる。そのためには、止水栓９の硬さが、ロックウェル硬さで、１１０以上である必要がある。尚、図示例における止水栓９は、片側開口の略円筒形状であり、閉口端側付近がくびれて成る取手部１７を有する。止水栓９の取り外しの際は、この取手部１７をつまんで引っ張ることが可能である。
【００２１】
ロックウェル硬さで１１０以上の止水栓９を使用することにより、止水栓９を装着したヘッダーに流体を供給した際、流体圧による、保持リング７の止水栓９外周面への噛み込みを、少なくすることができる。従って、継手部３の使用に先立ち、止水栓９を引き抜くときに、保持リング７の噛み込みが少ないため、その取り外しを確実かつ容易に行うことができる。さらに、保持リング７が外周面に噛み込んだ状態での長期使用によって止水栓９に恒久的な変形を生じてしまい、取り外した後の再利用が不可能となる可能性が少ないため、容易に脱着することができ、経済的である。
【００２２】
尚、上記において「ロックウェル硬さ」とは、押針を被測体に押し付け、できた窪みの深さより算出する硬さの指標である。ロックウェル硬さで１１０以上の条件を満たす止水栓９の材質としては、耐衝撃性硬質塩化ビニル樹脂、耐熱性硬質塩化ビニル樹脂、ＰＰＳ（ポリフェニレンサルファイド）等の樹脂、或いは金属等が適合し、とりわけ金属であることが好ましい。即ち、止水栓９を、金属とすることにより、該止水栓９が、熱等によって変質することがないため、長期の安定使用を確保することができる。また、使用する金属としては、容易に錆びないものが好ましく、砲金または真鍮等の銅合金やステンレス鋼等が好適である。
【００２３】
また、本発明による前記止水部材８は、前記保持リング７が係合する周溝１０をそなえることが好ましい。図２に示すように、前記止水部材の外周面上の軸方向中間部に周溝１０を配することにより、ヘッダー１の保持リング７が該周溝１０に係合し、止水栓９の離脱防止効果を向上し、また、該止水栓９の着脱を容易化することができる。
【００２４】
即ち、前記止水栓９が、ＰＰＳ等の樹脂製である場合、保持リング７との接触部が予め窪んでいるために、流体圧による保持リング７の噛み込みが少なくなる。このため、解放リング１５が保持リング７の内径を大きくさせる際に、摩擦による余分な力が掛からないので、止水栓９の着脱が、さらに容易である。また、前記止水栓９が真鍮等の金属製である場合、その材質が極めて硬いため、保持リング７は、より強固に周溝１０に係合し、滑脱することがないため、止水栓９の位置を安定させることが可能である。
【００２５】
また、分岐口５には、流体通路４からの流体、例えば水を、各水廻りに導く配管が接続される。尚、本発明のヘッダー１は、分岐口５についても、前記継手部３と同一の脱着可能構造であることが好ましい。分岐口５を脱着可能構造とすることによって、各種配管の脱着が可能になり、施工不具合に対するやり直しが可能となる。
【００２６】
さらに、本発明によるヘッダー１は、前記ヘッダー本体２の端部のいずれか他方に、前記継手部３と係合する管状接続部１１を有することが好ましい。本発明によるヘッダー１が管状接続部１１を有することにより、図３に示すように、該管状接続部１１を他のヘッダー１の継手部３に挿入して、複数個のヘッダー１を連続して接続させることが可能である。
【００２７】
図３は、図１に示したヘッダー１の複数を相互に連結した状態を示す半断面図である。図３に示すように、ヘッダー１は、隣接する他のヘッダー１の継手部３に、管状接続部１１を挿入して、他のヘッダー１と接続している。このとき、他のヘッダー１の止水部材８が、ヘッダー１の管状接続部１１の内周面に密着することにより、漏水を防止している。また、他のヘッダー１の保持リング７が、ヘッダー１の管状接続部１１の周溝１６に係合しており、水圧によるヘッダー１相互間の離脱を防いでいる。また、ヘッダー１に挿入された枝管となる挿入管６は、保持リング７により把持され、固定されている。
【００２８】
以上は、ヘッダー本体２の一方の端部にのみ継手部３を有するヘッダー１について説明したが、ヘッダー本体２の両端部に継手部３を設けることも可能である。例えば、図４に示すヘッダー１Ａは、上述した本発明によるヘッダー１の、管状挿入部１１を設けた他端に、継手部３を設けて成るヘッダーの実施形態である。即ち、ヘッダー１Ａは、ヘッダー本体２の両端に継手部３を有することになる。また、両継手部３には、止水栓９が夫々装着されており、共に脱着可能である。かようにヘッダー本体２の両端を継手部とすることにより、例えば、他方の継手部３に給水本管となるパイプ等を取り付け、また、一方の継手部３に本発明による他のヘッダーを取り付けることによって、連結する複数のヘッダーの最上流に、前記ヘッダー１Ａを配置することが可能である。
【００２９】
さらに、本発明によるヘッダーは、複数の分岐口５を設けることが可能である。図５に示すヘッダー１Ｂは、ヘッダー本体２端部の一方を継手部３とし、また、他方を管状接続部１１とし、２つの分岐口５ａおよび５ｂを有する。ヘッダー１Ｂは、分岐口５ａおよび５ｂに夫々一本の挿入管６を挿入することが可能である。従って、ヘッダー１Ｂのように、複数の分岐口５を有するヘッダー１を使用することにより、ヘッダー１相互間の連結部を減らして多くの枝管を得ることができ、漏水の可能性を軽減させることが可能である。
【００３０】
尚、上記ヘッダー１Ｂは、分岐口５を２つ有するヘッダー１の一例に過ぎず、本発明によるヘッダー１は、３つ以上の分岐口５を有していてもよい。分岐口５の数を増やせば、それだけヘッダー１相互間の連結部を減らして多くの枝管を得ることができるので、漏水可能性を低減できる。
【００３１】
上記に列挙したヘッダー１、１Ａおよび１Ｂは、いずれも相互に連結可能である。図６は、本発明のヘッダー１を複数個連結した配管の一例を示す線図である。図示例では、給水本管となるパイプ６ａの先端から、パイプ６ａの軸方向に、順番に、本発明のヘッダー１Ａ、ヘッダー１Ｂおよびヘッダー１が接続されており、ヘッダー１Ａおよびヘッダー１Ｂ間、並びに、ヘッダー１Ｂおよびヘッダー１間は相互に結合している。また、最も下流側にあるヘッダー１の継手部３には、止水栓９が装着され、流体の漏出を防止している。各ヘッダー１の分岐口５には、それぞれ、枝管となるパイプ６ｂが挿入されており、給水本管６ａからの流体は、ヘッダー１の内部で分岐して各パイプ６ｂに流れる。図示例では、既に４本の枝管６ｂをそなえたヘッダーを構成しており、さらに枝管６ｂを増設する場合は、連結したヘッダーの最下流にあるヘッダー１に装着された止水栓９を取り外して、新たに本発明のヘッダー１を連結させることが可能である。
【００３２】
本発明によるヘッダー１は、止水栓９を取り外して、新たに本発明による他のヘッダー１を取り付けることにより、複数個の連結したヘッダー１とすることができ、また、既に複数個の連結したヘッダー１であっても、連結端部のヘッダー１の止水栓９を取り外して、新たに本発明によるヘッダー１を取り付けることにより、枝管を得ることができる。
【産業上の利用可能性】
【００３３】
本発明により、一旦施工が終了してからでも、ヘッダーを容易に増設することが可能である。これにより、例えば、住宅や工場において、水廻りの増築に伴い、配管の増設が必要となる場合等に、配管内流体の供給を長時間中止することなく対応することができるため、増築の柔軟性が大幅に向上する。また、大掛かりな作業を必要としないため、経済的である他、作業に伴う漏水被害の可能性を軽減することができ、安全にヘッダーの増設をすることができる。
【符号の説明】
【００３４】
１      ヘッダー
１Ａ      ヘッダー本体の両端を継手部としたヘッダー
１Ｂ      ２つの分岐口を有するヘッダー
２      ヘッダー本体
３      継手部
４      流体通路
５      分岐口
５ａ      第一分岐口
５ｂ      第二分岐口
６      挿入管
６ａ      本管
６ｂ      枝管
７      保持リング
８      止水部材
９      止水栓
１０    止水栓の周溝
１１    管状接続部
１２    止水部材の周溝
１３    カバー
１４    キャップ
１５    解放リング
１６    管状接続部の周溝
１７    取手部
【図１】
2010223309.tif 000003
【図２】
2010223309.tif 000004
【図３】
2010223309.tif 000005
【図４】
2010223309.tif 000006
【図５】
2010223309.tif 000007
【図６】
2010223309.tif 000008